(57)【要約】【課題】パターフェイスの向きと移動方向をラインレーザーで明確に可視化して表示して、パッティング練習を能率よく合理的にする。【解決手段】パッティング練習具は、ゴルフパター３０のシャフト３１又はグリップ３２に連結される連結台１と、この連結台１に設けてなるレーザー光線の発光器２と、この発光器２に電力を供給するバッテリー３とを備えている。レーザー光線の発光器２は、連結台１を介してゴルフパター３０に連結される状態で直線状のラインレーザー９を下方に照射して、照射するラインレーザー９をゴルフボール４０の移動面４１に投映して移動軌跡を表示するようにしている。【選択図】図１
2017093753.tif 000002
【特許請求の範囲】
【請求項１】
ゴルフパター(30)のシャフト(31)又はグリップ(32)に連結される連結台(1)と、この連結台(1)に設けてなるレーザー光線の発光器(2)と、この発光器(2)に電力を供給するバッテリー(3)とを備えるゴルフのパッティング練習具であって、
前記レーザー光線の発光器(2)が、前記連結台(1)を介してゴルフパター(30)に連結される状態で直線状のラインレーザー(9)を下方に照射して、照射するラインレーザー(9)をゴルフボール(40)の移動面(41)に投映して移動軌跡を表示するようにしてなるゴルフのパッティング練習具。
【請求項２】
請求項１に記載されるゴルフのパッティング練習具であって、
前記連結台(1)が、パターフェイス(34)の横幅よりも長い板状のプレート部(4A)を備えることを特徴とするゴルフのパッティング練習具。
【請求項３】
請求項１または２に記載されるゴルフのパッティング練習具であって、
前記連結台(1)が脱着自在にシャフト(31)又はグリップ(32)に連結されてなるゴルフのパッティング練習具。
【請求項４】
請求項１ないし３のいずれかに記載されるゴルフのパッティング練習具であって、
前記連結台(1)が、前記シャフト(31)を回転中心として回転自在に連結され、かつ所定の回転位置に固定できる固定具(5)を備えてなるゴルフのパッティング練習具。
【請求項５】
請求項１ないし４のいずれかに記載されるゴルフのパッティング練習具であって、
前記レーザー光線の発光器(2)が、ボール移動面(41)に照射されるラインレーザー(9)の位置を調整できる調整機構(8)を備えるゴルフのパッティング練習具。
【請求項６】
請求項５に記載されるゴルフのパッティング練習具であって、
前記調整機構(8)が、ボール移動面(41)に照射されるラインレーザー(9)の位置を、ゴルフボール(40)の移動軌跡の方向に調整できる移動方向の調整機構(8X)を備えるゴルフのパッティング練習具。
【請求項７】
請求項５に記載されるゴルフのパッティング練習具であって、
前記調整機構(8)が、ボール移動面(41)に照射されるラインレーザー(9)の位置を、パターフェイス(34)と平行な方向に調整できる前後方向の調整機構(8Y)を備えるゴルフのパッティング練習具。
【請求項８】
請求項１ないし７のいずれかに記載されるゴルフのパッティング練習具であって、
前記発光器(2)が照射するレーザー光線が赤色であるパッティング練習具。
【発明の詳細な説明】
【技術分野】
【０００１】
本発明は、ラインレーザー光線を使用するゴルフのパッティング練習具に関し、特にパッティング動作において目標に対するパターフェイスのスイング軌跡を、芝生や床上にラインレーザーを投影して明確に可視化して、パッティング動作を視覚的に確認する練習具に関する。
【背景技術】
【０００２】
ゴルフ競技は、自然の中で行われる競技であり、感性を主体としてプレーする競技である。従って、その練習方法は、多岐に渡るが論理的な練習方法は少ない。とくに、パターでボールを打ち出す方向を正確にコントロールすることは極めて大切である。この動作は、身体を正しい方向に向けて、パターを正確にスイングする練習によって実現される。ビデオカメラを使用して、姿勢とスイング動作を確認できるが、スイング動作をしながらその最中にスイング軌跡などを正確に確認ができない。また、パターで打ち出されたボールの移動軌跡から、結果として目標に正確に到達したか否かの判断はできても、スイングの最中には動作確認ができない。
【０００３】
ところで、パターのスイング動作、すなわちパッティングにおいては、開始する前のアドレス（動作をスタートさせるための姿勢）時点でパターフェイスをボールの目標に対し直角に構えること、バックスイング及びフォロースイング時に目標に向かって直線上に打ち出し動作を行うことが大切である。パターフェイスの方向は、短いフェイス面を基準として目測で判断するので、正確な方向に特定するのが極めて難しい。パッティングにおいては、パターフェイスの方向性と、スイング動作の方向性が大切である。
【０００４】
以上のようなゴルフの練習方法の問題点を解決する方法として、パターに連結して、スイング動作を確認する練習具が開発されている。（特許文献１〜５参照）
【先行技術文献】
【特許文献】
【０００５】
【特許文献１】実開平２−３７６７８号公報
【特許文献２】実開昭５２−４４８７１号公報
【特許文献３】実用新案登録第３００４４６２号
【特許文献４】特開平１１−１２３２５４号公報
【特許文献５】特開平１０−２４８９８４号公報
【特許文献６】特開２０１２−２９７６１号公報
【発明の概要】
【発明が解決しようとする課題】
【０００６】
特許文献１と２の練習具は、クラブシャフトにパターフェイスと垂直に固定されるプレートである。この練習具は、プレートをパターフェイスよりも長くできるので、プレートの方向を見てパターフェイスの方向を正確に確認できる。ただ、この練習具は、パターフェイスの方向を確認できても、パターをスイングする状態でパターフェイスの移動方向を正確には確認できない。
【０００７】
特許文献３の練習具は、パターヘッドに連結されてパターフェイスと直角方向にレーザー光線を照射する。この練習具は、パターヘッドから照射されるレーザー光線を明確に確認できない。パターヘッドから直角方向にレーザー光線を照射すると、レーザー光線が空気中に照射されて光を確認できず、また、芝生面に照射されると、芝生に遮られてレーザー光線が直線状に透過しないからである。レーザー光線は、物の表面に照射されてその反射光を確認できるが、空気中に照射されて反射物体がないと光として確認できない。
【０００８】
特許文献４の練習具もパターヘッドに連結されて、上面には打球方向の指示強調線を表示している。しかしながら、指示強調線は、パターヘッドのバックスイングの方向を僅かに示しているのみであり、しかもプレーヤーの視線から遠いパターフェイスの上面においてパターフェイスの巾寸法内に表示されているのみであるので、パターフェイスの目標に対する軌跡を把握して、パターフェイスを目標に対して真直ぐに移動させる事等のパターの正しいスイングを習得する補助としての効果は少ない。
【０００９】
特許文献５の練習具は、シャフトを案内部材に接触させた状態でスイングしてパターフェイスを強制的に目標に対して直線状に移動させる。この練習具は、案内部材で規制してスイングするものであって、プレーヤーの意思に基づく自然なスイングではないので、自己のスイングを改善できない。また、パターとは別に練習具を設置するので実用性に欠ける。
【００１０】
特許文献６の練習具は、ボールの代わりにヒットするもので、ヒットした後の練習具の転がり具合を見てパターのスイングを推測するもので、実際のパッティングのスイングの習得には効果が薄い。
【００１１】
本発明は、以上の欠点を解決することを目的に開発されたものである。本発明の重要な目的は、パッティング動作のバックスイング、インパクト、フォロースイングのいずれの場面においても、パターフェイスの向きと移動方向をラインレーザーで明確に可視化して表示でき、ラインレーザーを見ながらパッティング練習を能率よく合理的にできるゴルフのパッティング練習具を提供することにある。
【課題を解決するための手段及び発明の効果】
【００１２】
本発明のゴルフのパッティング練習具は、前述の目的を達成するために以下の構成を備える。パッティング練習具は、ゴルフパター３０のシャフト３１又はグリップ３２に連結される連結台１と、この連結台１に設けてなるレーザー光線の発光器２と、この発光器２に電力を供給するバッテリー３とを備えている。レーザー光線の発光器２は、連結台１を介してゴルフパター３０に連結される状態で直線状のラインレーザー９を下方に照射して、照射するラインレーザー９をゴルフボール４０の移動面４１に投映して移動軌跡を表示するようにしている。
【００１３】
以上のパッティング練習具は、ラインレーザーをゴルフボールの移動面に照射してボールの移動軌跡を表示する。このパッティング練習具は、パッティング動作のバックスイング、インパクト、フォロースイングのいずれの場面においても、パターフェイスの向きとゴルフボールの移動軌跡を明確に可視化して表示する。ラインレーザーがパターフェイスの方向とゴルフボールの移動軌跡を芝などのボール移動面に表示するので、ゴルファーは、ラインレーザーを確認しながら、パッティング練習を能率よく合理的にできる。以上のパッティング練習具が、ボール移動面に明確にラインレーザーでボールの移動軌跡を表示できるのは、シャフトやグリップに連結台を介してレーザー光線の発光器をセットして、発光器が下向きに照射するラインレーザーをボール移動面に照射して移動軌跡を表示できるからである。
【００１４】
以上のパッティング練習具は、発光器からピンポイントに集束されたレーザー光線を照射するのではない。また、ボールの移動方向に集束されたレーザー光線を照射するのでもない。ピンポイントに集束されたレーザー光線をボールの移動方向に向かって照射する従来の練習具は、ボール移動面に移動軌跡を表示できない。それは、集束されたレーザー光線は、照射位置がピンポイントとなってラインにならないからである。すなわち、レーザー光線に照射されるピンポイントが発光するのみで、ラインとして発光しないからである。仮に、ボール移動面の上に霧や煙などの微細な浮遊物が無数にあると、浮遊物にレーザー光線が照射されてラインに表示されるかも知れないが、現実の使用環境において、レーザー光線を反射する浮遊物はない。このため、レーザー光線を照射する練習具は、ボール移動面をピンポイントに発光させることはできても、ボールの移動軌跡をラインで表示できない。これに対して、本発明のパッティング練習具は、ラインレーザーをボール移動面に向かって上から下向きに照射して、ボールの移動軌跡を光のラインとして明確に表示する。したがって、この練習具は、天然芝や人工芝などの凹凸あるボール移動面においても、パターフェイスの方向とボールの移動軌跡を光ラインとして明確に表示できる。
【００１５】
本発明のパッティング練習具は、連結台１が、パターフェイス３４の横幅よりもより長い板状のプレート部４Ａを備えることができる。
以上のパッティング練習具は、長い板状のプレート部の方向と、ボール移動面にラインレーザーで表示される光ラインの両方で、パターフェイスの方向とゴルフボールの移動軌跡、すなわちゴルフボールの打ち出し方向をより明確に確認できる特徴がある。
【００１６】
本発明のパッティング練習具は、連結台１を脱着自在にシャフト３１又はグリップ３２に連結することができる。
以上のパッティング練習具は、種々のゴルフパターを使用して、パッティングを練習できる特徴がある。
【００１７】
本発明のパッティング練習具は、連結台１が、シャフト３１を回転中心として回転自在に連結され、かつ所定の回転位置に固定できる固定具５を備えることができる。
以上の練習具は、連結台をシャフトやグリップに連結する状態で、パターフェイスに対すラインレーザーの方向を調整して、ラインレーザーの方向をパターフェイスに直交する方向に調整でき、また、この方向で連結台をシャフトやグリップに固定できる特徴がある。
【００１８】
本発明のパッティング練習具は、レーザー光線の発光器２が、ボール移動面４１に照射されるラインレーザー９の位置を調整できる調整機構８を備えることができる。
以上のパッティング練習具は、ボール移動面に表示されるラインレーザーの位置、すなわち、ラインレーザーが照射されてボール移動面に表示される光ラインの位置を調整できるので、ゴルファーは、自分に最適な位置に光ラインの位置を調整してパッティング練習できる。
【００１９】
本発明のパッティング練習具は、調整機構８が、ボール移動面４１に照射されるラインレーザー９の位置を、ゴルフボール４０の移動軌跡の方向に調整できる移動方向の調整機構８Ｘを備えることができる。
以上の練習具は、ラインレーザーの位置、すなわちボール移動面に表示される光ラインの位置を、ボール移動方向の前方に、あるいは後方に調整できるので、バックスイング動作やカップまでの距離に最適な位置に調整して練習できる。
【００２０】
本発明のパッティング練習具は、調整機構８が、ボール移動面４１に照射されるラインレーザー９の位置を、パターフェイス３４と平行な方向に調整できる前後方向の調整機構８Ｙを備えることができる。
以上の練習具は、ボール移動面に照射されるラインレーザーの位置、すなわち光ラインの位置をボールの移動方向に対して平行な位置にシフトするように調整できるので、光ラインをゴルフボールの上面に照射することなく、ボールの移動方向を光ラインで明確に表示できる特徴がある。
【００２１】
本発明のパッティング練習具は、発光器２が照射するレーザー光線を赤色とすることができる。
以上の練習具は、ボール移動面に照射されるラインレーザーを赤色とするので、屋内外において認識しやすく、特に緑色である天然芝や人工芝に対して、目立つように光ラインを表示できる。
【図面の簡単な説明】
【００２２】
【図１】本発明の一実施例に係るパッティング練習具の使用状態を示す斜視図である。
【図２】図１に示すパッティング練習具の側面図である。
【図３】図１に示すパッテイング練習具を下側から見た拡大斜視図である。
【図４】本発明の他の実施例に係るパッティング練習具の使用状態を示す斜視図である。
【図５】図４に示すパッティング練習具の拡大平面図である。
【図６】図４に示すパッティング練習具の拡大背面図である。
【図７】本発明の他の実施例に係るパッティング練習具の拡大平面図である。
【図８】本発明の他の実施例に係るパッティング練習具の拡大平面図である。
【図９】図１に示すパッティング練習具の使用例を示す正面図である。
【図１０】図１に示すパッティング練習具の他の使用例を示す正面図である。
【図１１】本発明の他の実施例に係るパッティング練習具の使用例を示す正面図である。
【図１２】図１１に示すパッティング練習具の他の使用例を示す正面図である。
【図１３】図１に示すパッティング練習具の使用状態を示す斜視図である。
【発明を実施するための形態】
【００２３】
以下、本発明の実施例を図面に基づいて説明する。ただし、以下に示す実施例は、本発明の技術思想を具体化するためのゴルフのパッティング練習具を例示するものであって、本発明はパッティング練習具を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２４】
本発明のパッティング練習具は、図１に示すように、パッティング練習の際に、ゴルフパター３０のシャフト３１又はグリップ３２に固定して使用される。パッティング練習具は、シャフト３１又はグリップ３２に固定される連結台１に設けたレーザー光線の発光器２から直線状のラインレーザー９を下方に照射し、ゴルフボール４０の移動面４１に映し出される光のラインでボールの移動軌跡を表示する。図１〜図３に示すパッティング練習具は、ゴルフパター３０のシャフト３１又はグリップ３２に連結される連結台１と、この連結台１に設けてなるレーザー光線の発光器２と、この発光器２に電力を供給するバッテリー３とを備えている。
【００２５】
（連結台１）
連結台１は、ゴルフパター３０（以下、パターと呼ぶ）のシャフト３１又はグリップ３２に固定されて、レーザー光線の発光器２をパター３０の定位置に配置する。連結台１は、レーザー光線の発光器２が固定される本体部４と、この本体部４をパター３０のシャフト３１又はグリップ３２に固定する固定具５とを備えている。さらに、図に示す連結台１は、シャフト３１又はグリップ３２に対して正しい姿勢で固定されるように、位置確認部材６を備えている。
【００２６】
（本体部４）
本体部４は、表面にレーザー光線の発光器２を固定して、固定具５を介してパター３０のシャフト３１又はグリップ３２に固定されている。本体部４は、パター３０に固定された状態で、発光器２をパター３０の定位置に配置する。図１に示す本体部４は、板状のプレート部４Ａとしている。図のプレート部４Ａは、所定の横幅の板状としており、その長手方向がゴルフボール４０の移動方向と一致するように配置されている。すなわち、このプレート部４Ａは、連結台１をシャフト３１又はグリップ３２に対して正しい姿勢で固定させるための位置確認部材６に兼用される。このプレート部４Ａは、図１と図２に示すように、シャフト３１の前面側であって、シャフト３１の表面に沿って固定される。
【００２７】
位置確認部材６に兼用されるプレート部４Ａは、長手方向がパターフェイス３４に対して直交する姿勢でシャフト３１又はグリップ３２に固定される。位置確認部材６のプレート部４Ａの方向を、ゴルフボール４０の転動ライン４２の方向、すなわちゴルフボール４０の打ち出し方向とするためである。図１に示すプレート部４Ａは、外形を長方形としており、その長辺がパター３０のシャフト３１に対して直交すると共に、パターフェイス３４に対して直交する姿勢で固定されている。このプレート部４Ａは、図１に示すように、パター３０をゴルフボール４０に対して定位置にセットした状態（アドレス姿勢）では、長方形の長辺の延長方向がゴルフボール４０の移動方向と一致するように、すなわち、ボール移動面４１に表示される光ライン１０に対して平行な姿勢となるように配置される。位置確認部材６に兼用されるプレート部４Ａは、全長（Ｓ）を長くしてゴルフボール４０の打ち出し方向をより明確に表示できる。したがって、図のプレート部４Ａの全長（Ｓ）は、好ましくは、パターフェイス３４の横幅（Ｗ）よりも長く、例えば１５〜５０ｃｍ、好ましくは、２０〜４０ｃｍ、さらに好ましくは２５〜３５ｃｍとする。プレート部４Ａは、プラスチック板や金属板で、薄くして軽量化できる。
【００２８】
以上のように、本体部４をプレート部４Ａとし、このプレート部４Ａを位置確認部材６に兼用する連結台１は、長い板状のプレート部４Ａの長手方向が示す方向と、ボール移動面４１にラインレーザー９で表示される光ライン１０の両方で、パターフェイス３４の方向とゴルフボール４０の移動軌跡であるゴルフボール４０の打ち出し方向をより明確に確認できる。さらに、位置確認部材６に兼用されるプレート部４Ａは、パター３０を持って構えた状態で、パター３０が正しい姿勢にあるかどうかを認識する部材としても使用される。図１に示す位置確認部材６は、平面状のプレート部４Ａの傾き等からパター３０の姿勢やパターフェイス３４の向きを容易に視認できる特徴がある。
【００２９】
ただ、連結台１は、必ずしもプレート部４Ａを備える必要はない。連結台１は、図４〜図６に示すように、パターフェイス３４に対する向きを特定するための位置確認部材６として水平姿勢に配置される水平ロッド１９を備えることもできる。この連結台１は、発光器２が配置される本体部４の表面に、水平ロッド１９を水平な姿勢で固定して構成される。この連結台１は、水平ロッド１９の延在方向がパターフェイス３４と直交する方向となるように本体部４をシャフト３１又はグリップ３２に固定することで、連結台１を正しい姿勢で配置できる。このように、位置確認部材６として水平ロッド１９を備える連結台１は、平面視における面積を小さくすることでパッティング時の違和感を極減できる。図４に示す連結台１は、２本の水平ロッド１９を上下に離して互いに平行な姿勢で固定している。このように、複数の水平ロッド１９を平行な姿勢で離間して配置することで、連結台１をより正しい姿勢でパター３０に固定できる。ただ、連結台１は、位置確認部材６として１本の水平ロッド１９を備えることもできる。
【００３０】
さらに、連結台１は、必ずしも位置確認部材６としてプレート部４Ａや水平ロッド１９を備える必要はない。連結台１は、発光器２から照射されるラインレーザー９がボール移動面４１に照射する光ライン１０がパターフェイス３４に対して直交する姿勢となるように連結台１をシャフト３１又はグリップ３２に固定することもできるからである。この連結台は、コンパクトにして、かつ軽量にできる。
【００３１】
（固定具５）
連結台１は、好ましくは、脱着自在にシャフト３１又はグリップ３２に連結される。この構造は、自由に取り外して種々のゴルフパター３０に使用できる。図２と図３の連結台１は、パター３０のシャフト３１又はグリップ３２に脱着自在に連結するための固定具５を備えている。固定具５は、シャフト３１を回転中心として連結台１を回転自在に連結し、かつ所定の回転位置に固定できる構造とすることができる。この構造は、連結台１をシャフト３１やグリップ３２に連結する状態で、簡単かつ容易にパターフェイス３４に対すラインレーザー９の方向を調整して、ラインレーザー９の方向をパターフェイス３４に直交する方向に調整できる。
【００３２】
図３の固定具５は、本体部４の裏面側に、パター３０のシャフト３１又はグリップ３２を挟着する挟着片１１を備えている。図３の固定具５は、シャフト３１又はグリップ３２を両側から挟着する一対の挟着片１１と、これ等の挟着片１１を締結する締め付け具１２とを備えている。一対の挟着片１１は、本体部４に対して略垂直な姿勢で配置されると共に、シャフト３１又はグリップ３２の外径とほぼ等しい間隔を離して配置されている。この固定具５は、一対の挟着片１１の間にシャフト３１又はグリップ３２を配置する状態で締め付け具１２を締め付けてシャフト３１又はグリップ３２に固定される。図に示す挟着片１１は、平面状としている。この固定具５は一対の挟着片１１の間にシャフト３１又はグリップ３２を配置する状態で、一対の挟着片１１を締め付け具１２で互いに締結してシャフト３１又はグリップ３２に固定される。一対の挟着片１１は、シャフト３１又はグリップ３２との対向面に挟持部材となる緩衝材を配置することもできる。
【００３３】
ただ、固定具５は、図７に示すように、本体部４の裏面に一対の対向片１３を固定すると共に、一方の対向片１３の内側に、対向片１３に平行な姿勢で移動する可動片１４を設けて、この可動片１４と他方の対向片１３とを挟着片１１として、シャフト３１又はグリップ３２を挟着することもできる。この固定具５は、可動片１４を設けた対向片１３を貫通する駆動ネジ１５を設けると共に、この駆動ネジ１５の先端に可動片１４を回転自在に連結し、駆動ネジ１５をねじ込むことで可動片１４をシャフト３１又はグリップ３２に接近させて挟着することができる。図の固定具５は、対向する挟着片１１の内側面に挟持部材１６を設けており、この挟持部材１６の中央部に溝状の凹部１６Ａを設けて、この凹部１６Ａにシャフト３１又はグリップ３２を嵌合させる状態で連結できるようにしている。挟持部材１６は、シリコンやウレタンフォーム等の緩衝材を板状にカットしたものが使用できる。
【００３４】
さらに、固定具５は、図４〜図６に示すように、弾性的に拡開するクリップ構造とすることもできる。この固定具５は、一対の挟着片１１をバネ等の弾性体１７で弾性的に拡開できる構造とし、一対の挟着片１１を拡開する状態で、これらの間にシャフト３１又はグリップ３２を配置し、一対の挟着片１１でシャフト３１又はグリップ３２を弾性的に挟着してシャフト３１又はグリップ３２の定位置に固定することができる。このように、一対の挟着片１１を弾性的に拡開させてシャフト３１又はクリップに固定される固定具５は、簡単な操作でシャフト３１又はグリップ３２に脱着できる。ここで、本体部４として板状のプレート部４Ａを備える連結台１においては、図示しないが、プレート部４Ａの裏側面に、一方の挟着片１１を積層状態で固定することで、本体部４と固定具５とを一体的に連結できる。また、図４〜図６に示すように、プレート部４Ａを設けていない本体部４においては、固定具５の一方の挟着片１１を本体部４に兼用して、この挟着片１１の表側面に発光器２を配置することもできる。
【００３５】
さらに、固定具５は、図８に示すように、弾性変形する一対の挟着片１１とすることもできる。この固定具５は、一対の挟着片１１の対向面にシャフト３１の外周面に沿う溝状の凹部１１Ａを設けると共に、一対の挟着片１１の間隔をシャフト３１の外径とほぼ等しくし、あるいは多少小さくすることで、一対の挟着片１１を弾性変形させながらシャフト３１を圧入し、一対の挟着片１１でシャフト３１を弾性的に挟着する状態で定位置に保持できる。
【００３６】
（発光器２）
発光器２は、連結台１の定位置に固定されて、直線状のラインレーザー９を下方に向かって照射する。図１〜図３に示す発光器２は、プレート部４Ａである本体部４の左右の中央部であって、シャフト３１に対向する面と反対側の表面に固定されている。ただ、発光器２の固定位置は、必ずしも本体部４の左右の中央部には特定されない。発光器２は、本体部４の平面視において、左右の中心（シャフト３１の軸方向）から左右にオフセットした位置に固定することもできる。図３に示す発光器２は、レーザー光線をラインレーザー９として照射するレーザー装置７と、このレーザー装置７から照射されるラインレーザー９がボール移動面４１に表示される位置を調整する調整機構８とを備えている。
【００３７】
（レーザー装置７）
レーザー装置７は、レーザー光線をピンポイントで照射するのではなく、レーザー光線を広角に照射して直線状のラインレーザー９として出力する。このレーザー装置７は、図１と図３に示すように、照射軸２０を中心として左右に広がる扇状となるように、所定の照射角（θ）でレーザー光線を照射する。レーザー装置７は、ボール移動面４１にラインレーザー９を投映させるために、レーザー光線を下方に向かって照射できるように配置される。レーザー装置７から照射されるレーザー光線は、ボール移動面４１にライン状に投映されて光ライン１０として表示される。
【００３８】
図３に示すレーザー装置７は、レーザー光の照射側に、レンズ２５を固定しており、このレンズ２５の内側には、レーザー光線を所定の照射角（θ）で照射するためのスリット２６を設けている。このレーザー装置７は、照射軸２０に対して広角に照射されるラインレーザー９の広がり方向がゴルフボール４０の移動方向となるように調整される。レーザー装置７は、好ましくは、ラインレーザー９の広がり方向がゴルフボール４０の移動方向と一致するようにレンズ２５を非回転状態に固定することで、安定してラインレーザー９を所定の方向に照射できる。ただ、レーザー装置は、照射軸に対してレンズを回転可能な構造とすることもできる。このパッテイング練習具は、パターにセットする状態で、ラインレーザーの広がり方向がゴルフボールの移動方向と一致するようにレンズの回転位置を調整する。
【００３９】
レーザー装置７は、レーザー光線を広角に照射するので、レーザー装置７の位置や照射角（θ）によって、ラインレーザー９で表示される光ライン１０の長さ（Ｌ）が変化する。レーザー装置７は、図９〜図１２に示すように、ボール移動面４１からの距離（ｄ）を長くし、照射角（θ）を大きくすると、ラインレーザー９で表示される光ライン１０の長さ（Ｌ）が長くなる。反対に、ボール移動面４１からの距離（ｄ）を短くし、照射角（θ）を小さくすると、ラインレーザー９で表示される光ライン１０の長さ（Ｌ）が短くなる。ここで、ボール移動面４１からレーザー装置７までの距離（ｄ）は、パター３０の長さにより特定されるが、通常のパターにおいては、３０ｃｍ〜８０ｃｍ、好ましくは４０ｃｍ〜７０ｃｍとし、長尺パターにおいては、３０ｃｍ〜１２０ｃｍ、好ましくは４０ｃｍ〜１００ｃｍとすることができる。また、レーザー装置７の照射角（θ）は、１０〜９０度、好ましくは１５〜６０度、さらに好ましくは、２０〜４５度とすることができる。さらに、ボール移動面４１に表示される光ライン１０の長さ（Ｌ）は、詳細には後述するが、レーザー装置７の照射方向によっても変化する。
【００４０】
以上のレーザー装置７は、照射されるラインレーザー９により、ボール移動面４１に投映される光ライン１０がパターフェイス３４に対して垂直な方向に延びるように照射方向が調整される。言い換えると、レーザー装置７は、ボール移動面４１に照射されるラインレーザー９による光ライン１０の延長方向が、ゴルフボール４０の移動軌跡の延長方向となるように、ラインレーザー９の照射方向が調整される。
【００４１】
レーザー装置７は、照射されるレーザー光線を赤色とすることができる。この発光器２は、ボール移動面４１に照射されるラインレーザー９を赤色とするので認識しやすく、特に緑色である天然芝や人工芝に対しても目立つように光ライン１０を表示できる。ただ、レーザー装置７は、赤色以外のレーザー光線を照射することもできる。
【００４２】
（調整機構８）
調整機構８は、連結台１に固定されるレーザー装置７の向きを調整して、ボール移動面４１に照射されるラインレーザー９の照射位置を調整する。言い換えると、ラインレーザー９によって表示される光ライン１０の投映位置を調整する。この調整機構８は、ボール移動面４１に照射されるラインレーザー９の照射位置を、ゴルフボール４０の移動軌跡の方向（図１においてＸ軸方向）に移動させて調整する移動方向の調整機構８Ｘと、ボール移動面４１に照射されるラインレーザー９の照射位置を、パターフェイス３４と平行な方向（図１においてＹ軸方向）に移動させて調整する前後方向の調整機構８Ｙとを備えている。
【００４３】
（移動方向の調整機構８Ｘ）
移動方向の調整機構８Ｘは、図３の矢印Ａで示すように、レーザー装置７を、連結台１の本体部４の表面に対して略平行な面内で回動させて、レーザー装置７の照射方向を調整する。移動方向の調整機構８Ｘは、図１に示すように、本体部４の表面に平行な面内におけるレーザー装置７の回動角（α）を調整することで、ボール移動面４１に表示される光ライン１０の位置をゴルフボール４０の移動軌跡の延長方向（図１においてＸ軸方向）に移動させる。さらに、移動方向の調整機構８Ｘは、レーザー装置７の回動角（α）を調整することで、ボール移動面４１に表示される光ライン１０の長さ（Ｌ）を調整する。ここで、レーザー装置７の回動角（α）とは、図９に示すように、連結台１に固定されるレーザー装置７の照射軸２０が、シャフト３１の軸方向に対してなす角度を示している。
【００４４】
レーザー装置７の回動角（α）は、図９に示すように、シャフト３１の軸方向であって下向きを基準として、ゴルフボール４０の転動方向、すなわちフォロースイングの方向を正とし、これと反対方向、すなわち、バックスイング方向を負とする。発光器２は、このレーザー装置７の回動角（α）の絶対値を大きくすると、図１０で示すように、ラインレーザー９の照射方向がヘッド３３から離れる方向となり、ボール移動面４１に投映される光ライン１０の位置がパターフェイス３４から離れると共に、光ライン１０の全長（Ｌ）が長くなる。
【００４５】
発光器２は、例えば、図９に示すように、正面視においてレーザー装置７をシャフト３１の軸上（プレート部４Ａの左右の中心）に配置し、レーザー装置７の照射角（θ）を３０度として、ボール移動面４１からレーザー装置７までの距離（ｄ）を約５０ｃｍとする状態で、レーザー装置７の回動角（α）を＋１５度とすると、ボール移動面４１に投映される光ライン１０の全長（Ｌ）が約２９ｃｍとなり、光ライン１０の後端がパターフェイス３４の位置にほぼ一致する状態で表示される。また、図１０に示すように、正面視においてレーザー装置７をシャフト３１の軸上に配置し、レーザー装置７の照射角（θ）を３０度として、ボール移動面４１からレーザー装置７までの距離（ｄ）を約５０ｃｍとする状態で、レーザー装置７の回動角（α）を＋４５度とすると、ボール移動面４１に投映される光ライン１０の全長（Ｌ）が約５８ｃｍとなり、光ライン１０の後端がパターフェイス３４からゴルフボール４０の移動方向に離れる距離（Ｄ）が約２９ｃｍとなる状態で表示される。
【００４６】
このように、レーザー装置７から照射されるラインレーザー９がボール移動面４１に投映する光ライン１０の全長（Ｌ）と、光ライン１０がパターフェイス３４からゴルフボール４０の移動方向に離れる距離（Ｄ）は、レーザー装置７から照射されるラインレーザー９の照射角（θ）、ボール移動面４１からレーザー装置７までの距離（ｄ）、レーザー装置７の回動角（α）によって特定される。
【００４７】
さらに、発光器２は、図１１に示すように、レーザー装置７をシャフト３１（本体部４の左右の中心）に対してオフセットして配置することによって、ラインレーザー９がボール移動面４１に投映する光ライン１０の全長（Ｌ）と、光ライン１０がパターフェイス３４からゴルフボール４０の移動方向に離れる距離（Ｄ）を調整することもできる。図１１に示すパッティング練習具は、発光器２の固定位置を、プレート部４Ａである本体部４の端部方向にオフセットしている。図１１に示すパッティング練習具は、ゴルフボール４０の移動方向と反対方向であって、バックスイング方向にオフセットして配置している。
【００４８】
この発光器２は、図１１に示すように、レーザー装置７の照射角（θ）を３０度、ボール移動面４１からレーザー装置７までの距離（ｄ）を約５０ｃｍ、レーザー装置７のオフセット量（ｔ）を約１０ｃｍとする状態で、レーザー装置７の回動角（α）を＋３０度とすると、ボール移動面４１に投映される光ライン１０の全長（Ｌ）が約３７ｃｍとなり、光ライン１０の後端がパターフェイス３４からゴルフボール４０の移動方向に離れる距離（Ｄ）が約３ｃｍとなる状態で表示される。
【００４９】
さらに、発光器２は、図１２に示すように、レーザー装置７の照射角（θ）を３０度、レーザー装置７のオフセット量（ｔ）を約１０ｃｍとする状態で、ボール移動面４１からレーザー装置７までの距離（ｄ）を約４０ｃｍとし、レーザー装置７の回動角（α）を＋４５度とすると、ボール移動面４１に投映される光ライン１０の全長（Ｌ）が約４６ｃｍとなり、光ライン１０の後端がパターフェイス３４からゴルフボール４０の移動方向に離れる距離（Ｄ）が約１３ｃｍとなる状態で表示される。
【００５０】
したがって、本発明のパッティング練習具は、レーザー装置７から照射されるラインレーザー９がボール移動面４１に投映する光ライン１０の全長（Ｌ）と、光ライン１０がパターフェイス３４からゴルフボール４０の移動方向に離れる距離（Ｄ）が最適となるように、レーザー装置７から照射されるラインレーザー９の照射角（θ）、ボール移動面４１からレーザー装置７までの距離（ｄ）、レーザー装置７の回動角（α）、連結台１に配置されるレーザー装置７のオフセット量（ｔ）を決定する。
【００５１】
（前後方向の調整機構８Ｙ）
前後方向の調整機構８Ｙは、図３の矢印Ｂで示すように、レーザー装置７を、パター３０のシャフト３１の軸方向を含む垂直面と平行な面内で傾動させてレーザー装置７の照射方向を調整する。前後方向の調整機構８Ｙは、図２に示すように、レーザー装置７の傾動角（β）を調整することで、図１３に示すように、ボール移動面４１に表示される光ライン１０の位置をパターフェイス３４と平行な方向、言い換えるとパターフェイス３４の幅方向に移動させる。ここで、レーザー装置７の傾動角（β）とは、図２に示すように、パター３０のシャフト３１の軸方向を含む垂直面内において、連結台１に固定される発光器２の照射軸２０が、パターフェイス３４の中心を指す方向に対してなす角度を示している。
【００５２】
レーザー装置７の傾動角（β）は、図２に示すように、ヘッド３３の先端方向を正とし、これと反対方向、すなわち、ヘッド３３の後端方向を負としている。パッティング練習具は、このレーザー装置７の傾動角（β）の絶対値を大きくすると、ボール移動面４１に投映される光ライン１０が、ゴルフボール４０の転動ライン４２に対して平行移動される距離（Ｈ）が大きくなる。この発光器２は、レーザー装置７の傾動角（β）を調整することで、ボール移動面４１に照射されるラインレーザー９の位置、すなわち光ライン１０の位置をパターフェイス３４と平行な方向にシフトするように調整できる。このため、光ライン１０をゴルフボール４０の上面に照射することなく、ボールの移動方向を光ライン１０で明確に表示できる。
【００５３】
図３と図５に示す発光器２は、移動方向の調整機構８Ｘと前後方向の調整機構８Ｙを実現するために、レーザー装置７を互いに垂直な２つの平面内で回動できるように連結している。図に示す調整機構８は、連結台１の本体部４に対して垂直に突出する姿勢で固定された固定片２１と、この固定片２１に対して回動自在に連結された回動片２２とを備えおり、この回動片２２に対して回動自在にレーザー装置７を配置している。図に示す固定片２１は金属板をＬ字状に折曲しており、一方の折曲片を本体部４に固定すると共に、他方の折曲片を本体部４の表面に対して垂直に突出させて垂直プレート２１Ａとしている。この固定片２１は、垂直プレート２１Ａが、シャフト３１の軸方向を含む垂直面と平行な姿勢となるように配置している。回動片２２も金属板をＬ字状に折曲しており、一方の折曲片を連結プレート２２Ａとして固定片２１に回動自在に連結すると共に、他方の折曲片２２Ｂを支持プレート２２Ｂとして、表面に回動自在にレーザー装置７を固定している。
【００５４】
図３と図５に示す発光器２は、固定片２１の垂直プレート２１Ａに対して回動片２２を回動自在に連結することで、回動片２２に固定されるレーザー装置７を垂直面内で傾動可能として、前後方向の調整機構８Ｙを実現している。固定片２１と回動片２２は、回転軸を介して連結することで、回動できるようにしている。
【００５５】
さらに、発光器２は、回動片２２の支持プレート２２Ｂに対して、レーザー装置７を平行な面内で回動できるように配置することで、移動方向の調整機構８Ｘを実現している。ここで、図３と図５においては、レーザー装置７は、磁石２３を介して回動片２２の支持プレート２２Ｂに固定されており、レーザー装置７を支持プレート２２Ｂに吸着させた状態で回動できるようにしている。この構造は、簡単な構造でレーザー装置７を回動片２２に対して回動自在に固定できる。ただ、レーザー装置は、回転軸を介して支持プレートに回動自在に連結することもできる。なお、図３の発光器２は、前述のように、レーザー装置７から照射されるラインレーザー９の広がり方向が、支持プレート２２Ｂに対して略平行な面内となるようにしている。言い換えると、回動片２２に対して回動するレーザー装置７の回動面と平行な面内にラインレーザー９を照射できるようにレンズ２５のスリット２６の向きを特定している。
【００５６】
以上の調整機構８は、回動片２２の支持プレート２２Ｂに対してレーザー装置７を回動させることで、レーザー装置７の回動角（α）を調整でき、回動片２２を固定片２１に対して回動させることで、レーザー装置７の傾動角（β）を調整できる。
【００５７】
さらに、調整機構８は、図７と図８に示す構造として、レーザー装置７の回動角(α）と傾動角（β）を調整することもできる。図７と図８に示す調整機構８は、Ｌ字状に折曲された回動片２４の一方の折曲片である連結プレート２４Ａを連結台１の本体部４の表面に回動自在に連結すると共に、他方の折曲片である垂直プレート２４Ｂを本体部４の表面から突出させて、この垂直プレート２４Ｂに対して回動自在にレーザー装置７を連結している。図７の調整機構８は、レーザー装置７を、磁石２３を介して回動片２２の垂直プレート２４Ｂに固定している。図８の調整機構８は、レーザー装置７を回動自在に垂直プレート２４Ｂにネジ止めして固定している。これらの調整機構８は、連結台１に対して回動片２２を回動させてレーザー装置７の回動角(α）を調整し、回動片２２の垂直プレート２２Ｂに対してレーザー装置７を傾動させて傾動角（β）を調整する。この調整機構８は、簡単な構造で、レーザー装置７の回動角(α）と傾動角(β）を調整できる。
【００５８】
さらに、調整機構８は、以上の構造には特定せず、レーザー装置７の照射方向を互いに垂直な２つの平面内で調整できる他の全ての構造が使用できる。
【００５９】
（バッテリー３）
バッテリー３は、発光器２の電源であって、連結台４に固定されている。図３に示すパッテイング練習具は、連結台４の裏面側にバッテリー３を備えており、図４に示すパッテイング練習具は、連結台４の表面側にバッテリー３を備えている。図に示すバッテリー３は、連結台１に固定された電池ケース２８に内蔵された電池（図示せず）としている。この電池は、発光器２からレーザー光線を照射するのに必要な電力を発光器２に供給できる出力としている。バッテリー３は、例えば、電池ケース２８に複数の電池を収納して、これ等を直列に接続することができる。
【００６０】
さらに、図３に示すバッテリー３は、発光器２への電力の供給をオンオフする電源スイッチ２９を備えている。図に示す電源スイッチ２９は、電池ケース２８の側面に設けている。このパッティング練習具は、使用するときに電源スイッチ２９をオンに切り換えて発光器２からレーザー光線を照射する。また、使用後においては、電源スイッチ２９をオフに切り換えて発光器２からレーザー光線の照射を停止する。
【００６１】
なお、パッティング練習具は、必ずしもバッテリー３を収納する電池ケース２８を必要とはしない。パッティング練習具は、例えば、発光器２に電池を内蔵することもできる。この発光器２は、レーザー装置７を備えるモジュールとして、このモジュールのケーシングに電池を内蔵することができる。
【００６２】
以上のパッティング練習具は、練習の用途に応じて、以下のように使用する。
パッテイング練習具は、ボール移動面４１に表示される光ライン１０の位置をゴルフボール４０の移動軌跡の延長方向（図１においてＸ軸方向）に移動させることができる。このパッティング練習具は、例えば、ゴルフボール４０をヒットするパターフェイス３４のすぐ前方（ゴルフボール４０の移動方向）にラインレーザー９を照射することで、ボールの打ち出し方向を光ライン１０で表示して可視化することができる。また、パッティング練習具は、パターフェイス３４からゴルフボール４０の移動方向に離れた位置にラインレーザー９を照射することで、打ち出されたゴルフボール４０の移動方向や目標であるカップ方向への予想ラインを可視化できる。さらにまた、パッティング練習具は、レーザー装置７の回動角（α）をマイナスとして、パターフェイス３４の背面側であって、バックスウィング側の後方にラインレーザー９を照射することで、バックスウイングやフォロースウイングにおけるヘッド３３の移動軌跡を可視化することができる。このように、パッティング練習具は、発光器２によるラインレーザー９の照射位置をゴルフボール４０の移動方向に調整することで、目的に応じた練習方法が実施でき、パッテイングの練習において、極めて実用的な練習方法を実現できる。
【００６３】
また、パッティング練習具は、図１３に示すように、ボール移動面４１に表示される光ライン１０の位置をゴルフボール４０の移動方向に対して、パターフェイス３４と平行な方向（図１においてＹ軸方向）にシフトすることができる。このパッティング練習具は、例えば、スライスラインのパッテイング練習を行う際には、ボール移動面４１に表示される光ライン１０の位置をヘッド３３の先端方向にシフトさせると共に、この光ライン１０の延長方向を目標であるカップ方向に向けることで、ゴルフボール４０をカップよりも左方向に打ち出しながら、スライスラインにおけるパッテイングのイメージを可視化できる。また、このパッティング練習具は、フックラインのパッテイング練習を行う際には、ボール移動面４１に表示される光ライン１０の位置をヘッド３３の後端方向にシフトさせると共に、この光ライン１０の延長方向を目標であるカップ方向に向けることで、ゴルフボール４０をカップよりも右方向に打ち出しながら、フックラインにおけるパッテイングのイメージを可視化できる。このように、パッティング練習具は、発光器２によるラインレーザー９の照射位置を前後方向に調整することで、さらに実用的な練習方法を実現できる。
【産業上の利用可能性】
【００６４】
本発明のパッティング練習具は、目標に対するパターフェイスのスイング軌跡を、芝生や床上にラインレーザーを投映して明確に可視化できるパッティングの練習具として好適に使用できる。
【符号の説明】
【００６５】
１…連結台
２…発光器
３…バッテリー
４…本体部
４Ａ…プレート部
５…固定具
６…位置確認部材
７…レーザー装置
８…調整機構
８Ｘ…移動方向の調整機構
８Ｙ…前後方向の調整機構
９…ラインレーザー
１０…光ライン
１１…挟着片
１１Ａ…凹部
１２…締め付け具
１３…対向片
１４…可動片
１５…駆動ネジ
１６…挟持部材
１６Ａ…凹部
１７…弾性体
１９…水平ロッド
２０…照射軸
２１…固定片
２１Ａ…垂直プレート
２２…回動片
２２Ａ…連結プレート
２２Ｂ…支持プレート
２３…磁石
２４…回動片
２４Ａ…連結プレート
２４Ｂ…垂直プレート
２５…レンズ
２６…スリット
２８…電池ケース
２９…電源スイッチ
３０…パター
３１…シャフト
３２…グリップ
３３…ヘッド
３４…パターフェイス
４０…ゴルフボール
４１…移動面
４２…転動ライン
【図１】
2017093753.tif 000003
【図２】
2017093753.tif 000004
【図３】
2017093753.tif 000005
【図４】
2017093753.tif 000006
【図５】
2017093753.tif 000007
【図６】
2017093753.tif 000008
【図７】
2017093753.tif 000009
【図８】
2017093753.tif 000010
【図９】
2017093753.tif 000011
【図１０】
2017093753.tif 000012
【図１１】
2017093753.tif 000013
【図１２】
2017093753.tif 000014
【図１３】
2017093753.tif 000015